(57)【要約】【課題】釣竿の後端部に確実に装着され且つ容易に外れることのない釣竿用尻栓の提供。【解決手段】この尻栓２０は、釣竿の後端部にねじ込まれる。尻栓２０は、尻栓本体２１とシート部材２２とを備える。尻栓本体２１は筒状に形成され、その先端部２４の内側に薄肉リング部材２８が突設されている。シート部材２２は、円盤状に形成され、上記先端部２４の内側に嵌め込まれる。シート部材２２の周面には周溝３２が設けられており、この周溝３２に上記薄肉リング部材２８が嵌め込まれる。薄肉リング部材２８は、周溝３２に対して遊嵌されている。シート部材２２は、尻栓本体２１に対して回転自在である。【選択図】  図４
2005013084.tif 000002
【特許請求の範囲】
【請求項１】
先端部が釣竿本体の後端部に螺合される円筒状の尻栓本体と、
尻栓本体の先端部の内側に嵌め込まれる円盤状のシート部材とを有し、
尻栓本体は、その先端部の内側にシート部材係合部を備えると共に、シート部材は、その周面部にシート部材係合部と係合し得る被係合部を備えており、
シート部材係合部と被係合部とは、尻栓本体に対してシート部材が周方向に回転し得るように互いに相対的にスライド可能に係合している釣竿用尻栓。
【請求項２】
上記シート部材係合部は、上記尻栓本体の先端部の内周面に径方向に突設された薄肉リング部材からなり、
上記被係合部は、薄肉リング部材に遊嵌される周溝により構成されている請求項１に記載の釣竿用尻栓。
【請求項３】
上記シート部材は、
上記被係合部が設けられた円盤状の支持フレームと、当該支持フレームの一端面に設けられた端面シートとを有し、
上記支持フレームは、他端面側に設けられ、上記尻栓本体の先端部に挿入される挿入案内筒部と、
当該挿入案内筒部が上記尻栓本体の先端部に挿入されたときに上記シート部材係合部と摺接することによって当該挿入案内筒部の外径を弾性的に縮小させる縮径許容機構とを備える請求項１又は２に記載の釣竿用尻栓。
【請求項４】
先端部が釣竿本体の後端部に螺合される円筒状の尻栓本体と、
尻栓本体の内側に嵌合支持され、尻栓本体の螺合方向と同方向に巻回形成されたコイルバネと、
コイルバネの内側に嵌合支持され、尻栓本体の先端部の端面を構成するシート部材とを備えた釣竿用尻栓。
【発明の詳細な説明】
【０００１】
【発明の属する技術の分野】
この発明は、釣竿の構造、より具体的には、釣竿の後端に装着される釣竿用尻栓の構造に関するものである。
【０００２】
【従来の技術及び発明が解決しようとする課題】
図１１は、磯釣りに使用される釣竿の要部正面図である。
この釣竿１は、元節２及び元上節３を含む複数の節から構成されており、各節は、いわゆる振出式に組み立てられている。一般に各節は、円筒状に形成されており、元節２の後端部には尻栓４が装着されるようになっている。尻栓４は、元節２の後端部に螺合されるようになっている。
尻栓４は、その先端面にゴム等から構成されるシート部材５が取り付けられている。したがって、尻栓４が元節２に装着され且つ釣竿１が収納状態とされたときは、シート部材５は、元上節３及び他の節の後端面が当接される座面を構成する。なお、シート部材５は、元上節３等の座面を構成することから、ゴム等の弾性体から構成されるのが好ましい。
【０００３】
ところで、上記シート部材５は、各節の後端面と摺接することになるから、摺接時に発生する摩擦力によって尻栓４の螺合が緩くなる場合があり、引いては尻栓４が元節２から脱落するおそれもある。
特に、同図が示す釣竿１は、いわゆるズーム機構が設けられており、実釣時において元上節３が元節２に対して伸縮される。釣人が元上節３を伸長させる動作（いわゆるズームアップ動作）は、通常、元上節３と元節２とが相対的に回転されるようにして（捩られるようにして）行われる。したがって、この動作の瞬間に、元上節３の後端部によって上記シート部材５が当該元上節３の回転方向に回転されるような外力が付加され、その結果、尻栓４は、元節２から一層外れやすくなる傾向にある。
【０００４】
一般に尻栓は、前述のように元節の後端部に設けられるものであるところ、仮に尻栓が元節から脱落した場合には、釣竿内にゴミや水が侵入してしまうので、尻栓は、元節に確実に取り付けられていなければならない。そのため、従来から、尻栓の構造については種々提案されているところである（例えば、特許文献１参照）。
【０００５】
【特許文献１】
特開２０００−２７９０６２
【０００６】
そこで、本発明の目的は、釣竿の後端部に確実に装着され且つ容易に外れることのない釣竿用尻栓を提供することである。
【０００７】
【課題を解決するための手段】
（１）  上記目的が達成されるため、本願に係る釣竿用尻栓は、先端部が釣竿本体の後端部に螺合される円筒状の尻栓本体と、尻栓本体の先端部の内側に嵌め込まれる円盤状のシート部材とを有し、尻栓本体は、その先端部の内側にシート部材係合部を備えると共に、シート部材は、その周面部にシート部材係合部と係合し得る被係合部を備えており、シート部材係合部と被係合部とは、尻栓本体に対してシート部材が周方向に回転し得るように互いに相対的にスライド可能に係合していることを特徴とするものである。
【０００８】
この構成によれば、尻栓本体の先端部の内側にシート部材が嵌め込まれた状態で尻栓本体の先端部が釣竿本体の後端部にねじ込まれて取り付けられる。この状態では、シート部材の端面は、釣竿本体の各節の後端面が当接し得る座を構成する。
シート部材が尻栓本体に嵌め込まれた状態では、シート部材の被係合部が尻栓本体のシート部材係合部と係合する。これにより、シート部材は、尻栓本体に確実に装着され、容易に外れることはない。しかも、上記シート部材係合部と上記被係合部とは相対的にスライド可能に係合しているから、尻栓本体の内部でシート部材が周方向に自在に回転することができる。
【０００９】
（２）  上記シート部材係合部は、上記尻栓本体の先端部の内周面に径方向に突設された薄肉リング部材により構成され得る。また、上記被係合部は、薄肉リング部材に遊嵌される周溝により構成され得る。
この場合、尻栓本体に設けられた薄肉リング部材にシート部材の周溝が遊嵌されることによって、きわめて簡単な構造によってシート部材が尻栓本体に装着される。つまり、きわめて簡単な構造により、尻栓本体に対するシート部材の回転動作が実現され、その結果、釣竿用尻栓全体の構造が簡単で釣竿用尻栓がコスト安価に製造され得る。
【００１０】
（３）  上記シート部材は、上記被係合部が設けられた円盤状の支持フレームと、当該支持フレームの一端面に設けられた端面シートとを有して構成され得る。そして、上記支持フレームは、他端面側に設けられ、上記尻栓本体の先端部に挿入される挿入案内筒部と、当該挿入案内筒部が上記尻栓本体の先端部に挿入されたときに上記シート部材係合部と摺接することによって当該挿入案内筒部の外径を弾性的に縮小させる縮径許容機構とを備えて構成され得る。
【００１１】
この構成では、支持フレームに端面シートが設けられ、この状態で支持フレームが尻栓本体に嵌め込まれることによって尻栓が構成される。この場合、端面シートが上記座を構成する。
支持フレームは、他端面（端面シートが設けられた一端面側と反対側の端面）側から尻栓本体の先端部に挿入される。挿入案内筒部が尻栓本体の先端部に挿入されると、挿入案内筒部は、上記シート部材支持部と摺接し、当該挿入案内筒部の外径が縮径されながら順次尻栓本体の先端部に挿入されていく。つまり、上記シート部材支持部と上記被係合部とが相対的に接近し、両者が係合する。
すなわち、縮径許容機構によって挿入案内筒部が縮径されることによって、支持フレームが尻栓本体の先端部に押し込まれるだけで、上記シート部材係合部が上記被係合部と簡単且つ確実に係合する。しかも、前述のように、上記シート部材係合部と上記被係合部とは相対的にスライド可能であるから、支持フレームは、尻栓本体に対して回転自在となる。
【００１２】
（４）  また、上記目的が達成されるため、本願に係る釣竿用尻栓は、先端部が釣竿本体の後端部に螺合される円筒状の尻栓本体と、尻栓本体の内側に嵌合支持され、尻栓本体の螺合方向と同方向に巻回形成されたコイルバネと、コイルバネの内側に嵌合支持され、尻栓本体の先端部の端面を構成するシート部材とを備えたことを特徴とするものである。
【００１３】
この構成によれば、コイルバネを介してシート部材が尻栓本体に嵌め込まれる。具体的には、尻栓本体にコイルバネが嵌め込まれ、さらに、このコイルバネの内側にシート部材が嵌め込まれて支持される。
コイルバネは、尻栓本体の螺合方向と同方向に巻回形成されているから、コイルバネに支持されたシート部材は、コイルバネの巻回方向に容易に回転することができるが、コイルバネの巻回方向と逆方向へ回転することは容易でない。つまり、シート部材は、尻栓の螺合が強くなる方向へ容易に回転することができるが、尻栓の螺合が弱くなる方向へは容易に回転することができない。
【００１４】
【発明の実施の形態】
以下、適宜図面が参照されつつ、好ましい実施形態に基づいて本発明が詳細に説明される。
【００１５】
＜第１の実施形態＞
図１は、本発明の第１の実施形態に係る釣竿用尻栓（以下、単に「尻栓」と称される。）が装着された釣竿の正面図である。
この釣竿１０は、いわゆるインナーガイドタイプである。釣竿１０は、釣竿本体１１と、リールシート１２とを備えている。このリールシート１２は、釣人が釣竿１０を保持する際に実際に釣竿１０を把持する部分であり、いわゆるグリップを兼ねている。
【００１６】
釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。
各節１３〜１７は、既知の要領で構成される。例えば、カーボンプリプレグが所定形状に裁断され、これが筒状に巻回されることによって、円筒状の節１３〜１７が形成される。
この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００１７】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３を第２番節１４から引き出した際に、第１番節１３の後端部分が第２番節１４の先端部分とかみ合って両者が固定されるようになっている。
なお、第２番節１４と第３番節１５との関係及び第３番節１５と元上節１６との関係も同様である。
【００１８】
また、第２番節１４ないし元節１７の先端部には、当該部分の剛性を向上させ、隣り合う節のかみ合いを確実なものとするために、リングＲ１〜Ｒ４が装着されている。
さらに、元上節１６の先端側の所定位置には図示しない釣糸導入孔が設けられており、この釣糸導入孔に釣糸を導くための導入ガイド１９が取り付けられている。なお、上記トップガイド１８及び導入ガイド１９は、既知の構成であるので、その詳しい説明は省略される。
【００１９】
本実施形態に係る釣竿１０の特徴とするところは、元節１７の後端部に釣竿用尻栓（以下、単に「尻栓」と称される。）２０が設けられており、この尻栓２０が後述の構造を備えている点である。
図２は尻栓２０の分解斜視図であり、図３は尻栓２０の分解正面図である。
この尻栓２０は、尻栓本体２１とシート部材２２とを備えている。シート部材２２は、尻栓本体２１の内側に嵌め込まれる。尻栓２０が元節１７に装着されることによって、シート部材２２の端面２３（図１参照）は、元上節１６等の後端部が当接される座を構成する。すなわち、釣竿１０が収納状態となったときは、各節１６等の後端面は、上記シート部材２２の端面２３上に載置される。
【００２０】
尻栓本体２１は、アルミニウム合金等の金属や樹脂等により構成され、略円筒状に形成されている。尻栓本体２１の先端部２４は、外径寸法が小さい筒状に形成され、先端部２４に連続する後端部２５は、先端部２４の外径寸法よりも大きい外径寸法に仕上げられている。この後端部２５の端面には、ゴムや樹脂等から構成されるカバー２６が設けられている。
【００２１】
尻栓本体２１の先端部２４の周面には、雄ねじ２７が形成されている。一方、上記元節１７の後端部の内壁面には、図１では図示されていないが雌ねじが形成されている。上記雄ねじ２７は、元節１７に形成された雌ねじと螺合されるようになっている。したがって、尻栓本体２１の先端部２４が元節１７の後端部にねじ込まれることによって、尻栓２０は、元節１７の後端部に装着固定されるようになっている。
なお、尻栓本体２１の後端部２５の外径寸法は、元節１７の外径寸法と略一致されている。したがって、尻栓２０が元節１７に装着されたときは、元節１７と尻栓２０とは、略面一状態となる。
【００２２】
図２及び図３が示すように、尻栓本体２１の先端部２４の内側には、薄肉リング部材２８（シート部材支持部）が突設されている。この薄肉リング部材２８は、肉厚寸法が０．５ｍｍ〜１０ｍｍ程度の環状の部材であって、先端部２４の径方向内側に突出するように配置されている。薄肉リング部材２８の突出寸法（外径と内径との差の二分の一）は、１ｍｍ〜５ｍｍの範囲で適宜設定され得る。また、薄肉リング部材２８は、尻栓本体２１の先端部２４の端面より内側の位置に設けられている。これにより、尻栓本体２１の先端部２４には、段部２９が形成されている。この段部２９は、上記シート部材２２が装着される載置部を構成する。
なお、本実施形態では、この薄肉リング部材２８は、先端部２４と一体的に形成されている。もっとも、薄肉リング部材２８が別部材として構成され、先端部２４に取り付けられていてもよいことは勿論である。
【００２３】
シート部材２２は、本実施形態では、ゴムにより構成されており、略円盤状に形成されている。ただし、シート部材２２を構成する材料は、ゴムのほか樹脂や金属も採用され得る。
シート部材２２は、円形板状の基部３０と挿入部３１とを備えている。基部３０は、シート部材２２の一端側に位置し、挿入部３１は、シート部材２２の他端側に位置する。そして、両者は一体的に形成され、両者間に周溝３２（被係合部）が設けられている。
【００２４】
基部３０の外径寸法は、尻栓本体２１の先端部２４の内径寸法に対応されており、基部３０は、ぴったりと先端部２４の内側に嵌め込まれるようになっている。
挿入部３１は、テーパ状に形成されている。すなわち、挿入部３１の外径寸法は、シート部材２２の他端側に向かって漸次小さくなっている。また、本実施形態では、挿入部３１の最大外径寸法は、基部３０の外径寸法よりも小さくなるように設定されている。なお、挿入部３１は、テーパ状に形成されていなくともよく、また、挿入部３１の外径寸法は、基部３０の外径寸法と同様の寸法に設定されていてもよい。
【００２５】
さらに、周溝３２の幅寸法は、上記薄肉リング部材２８の肉厚寸法よりも大きく設定されている。具体的には、周溝３２の幅寸法は、０．５ｍｍ〜１０ｍｍの範囲で適宜設定され得る。また、周溝３２の深さは、所定寸法に設定されている。つまり、周溝３２の底面部３３の外径寸法は、上記薄肉リング部材２８の内径寸法よりも小さく設定されている。
なお、シート部材２２の中央部には、軸方向に貫通する貫通孔３４が設けられている。この貫通孔３４が設けられれることにより、シート部材２２の軽量化が図られている。もっとも、この貫通孔３４は、省略されていてもよい。
【００２６】
図４は、上記シート部材２２が尻栓本体２１に装着された状態における尻栓２０の断面図である。同図は、尻栓２０が元節１７に装着された状態を示している。
本実施形態では、シート部材２２がゴムにより構成されているので、シート部材２２が尻栓本体２１の先端部２４に押し込まれることにより弾性変形し、これにより、当該先端部２４の内側に嵌め込まれる。このとき、尻栓本体２１の薄肉リング部材２８にシート部材２２の周溝３２が嵌合する。これにより、シート部材２２は、尻栓本体２１に確実に装着され、容易に外れることはない。
【００２７】
また、前述のように、周溝３２の幅寸法が薄肉リング部材２８の肉厚寸法よりも大きく設定され、しかも、周溝３２の底面部３３の外径寸法が薄肉リング部材２８の内径寸法よりも小さく設定されていることから、薄肉リング部材２８と周溝３２とは、遊嵌状態となる。したがって、シート部材２２は、尻栓本体２１に対してその中心軸Ｎ（図４参照）を中心として回転することができる。
【００２８】
このようにシート部材２２が装着された尻栓２０は、元節１７の後端部にねじ込まれる。具体的には、尻栓本体２１の先端部２４に形成された雄ねじ２７が元節１７に形成された雌ねじと螺合される。
そして、釣竿１０が収納状態とされたときは、釣竿本体１１を構成する各節の後端面は、尻栓本体２１に装着されたシート部材２２の端面２３に当接することになる。
このとき、尻栓本体２１の内部でシート部材２２が回転することができるので、仮に釣竿本体１１を構成する各節の後端面がシート部材２２と摺接した場合であっても、シート部材２２が回転するので、尻栓本体２１が回転されることはない。特に本実施形態では、釣竿１０が上記ズーム機構を備えていることから、ズームアップ動作により元上節１６が元節１７に対して捩られた場合であっても、シート部材２２が回転し、尻栓本体２１が回転されることはない。したがって、尻栓本体２１と元節１７との螺合が緩むことはなく、尻栓２０が釣竿本体１１から外れてしまうことはない。
【００２９】
また、本実施形態では、尻栓本体２１に設けられた薄肉リング部材２８にシート部材２２の周溝３２が遊嵌されることによってシート部材２２が尻栓本体２１に装着される。つまり、きわめて簡単な構造によってシート部材が尻栓本体に確実に装着され、しかも、尻栓本体２１に対するシート部材２２の回転が許容される。したがって、尻栓２０の構造が簡単で尻栓２０がコスト安価に製造されるという利点がある。
さらに、上記薄肉リング部材２８が設けられることによって上記段部２９が形成される。この段部２９は、前述のようにシート部材２２の載置部を構成するから、シート部材２２が尻栓本体２１に装着されたときに、シート部材２２は、段部２９において確実に保持される。これにより、シート部材２２は、尻栓本体２１に対して回転自在でありながら、振動等によって容易に尻栓本体２１から脱落することはない。
【００３０】
なお、本実施形態では、尻栓本体２１の薄肉リング部材２８とシート部材２２の周溝３２とが係合し、両者は、シート部材２２が尻栓本体２１に対して回転することができるように遊嵌状態となっている。つまり、上記薄肉リング部材２８がシート部材２２と係合するシート部材係合部を構成し、上記周溝３２がシート部材係合部と係合する被係合部を構成している。ただし、このシート部材係合部と被係合部とは、本実施形態に係る薄肉リング部材２８及び周溝３２に限定されるものではなく、要するに、尻栓本体２１に対してシート部材２２が確実に保持され且つ回転可能に係合されていればよい。
したがって、例えば、薄肉リング部材２８に代えて、上記周溝３２に嵌め込まれた爪状の部材（突起等）であってもよいし、シート部材２２が尻栓本体２１の底面から懸架された構造（ピロボール構造等）であってもよい。
【００３１】
＜第２の実施形態＞
次に、本発明の第２の実施形態について説明される。
図５は、本発明の第２の実施形態に係る尻栓３５の断面図である。同図は、尻栓３５が元節１７に装着された状態を示している。
本実施形態に係る尻栓３５が上記第１の実施形態に係る尻栓２０と異なるところは、尻栓３５は、潤滑部材３６を備えており、この潤滑部材３６は、上記薄肉リング部材２８とシート部材２２との間に介在されている点である。なお、その他の構成については、上記第１の実施形態に係る尻栓２０と同様である。
【００３２】
この潤滑部材３６は、例えば４フッ化エチレン樹脂、ポリアセタール等により構成されている。潤滑部材３６は、同図が示すように円盤状に形成されており、本実施形態では、断面が略Ｌ字状に形成されている。これにより、潤滑部材３６は、上記薄肉リング部材２８によって構成される段部２９（図４参照）に嵌め込まれる。
【００３３】
このように、潤滑部材３６が設けられることにより、上記薄肉リング部材２８とシート部材２２とが直接摺接することはなく、シート部材２２は、潤滑部材３６と摺接する。しかも、潤滑部材３６は、上記材料から構成されているから、潤滑部材３６は、シート部材２２との間で滑りやすく且つ尻栓本体２１との間でも滑りやすくなる。
したがって、シート部材２２は、尻栓本体２１に対して一層滑らかに回転することができ、その結果、尻栓本体２１と元節１７との螺合が緩むことはなく、尻栓３５が釣竿本体１１から外れてしまうことはない。
【００３４】
なお、本実施形態では、上記潤滑部材３６が薄肉リング部材２８とシート部材２２との間に介在されているが、潤滑部材３６に代えて４フッ化エチレン樹脂、ポリアセタール等が薄肉リング部材２８及びシート部材２２のいずれか一方ないし双方に塗布されていてもよい。
【００３５】
＜第３の実施形態＞
次に、本発明の第３の実施形態について説明される。
図６は、本発明の第３の実施形態に係る尻栓４０の断面図であり、同図は、尻栓４０が元節１７に装着された状態を示している。また、図７は、図６におけるＶＩＩ−ＶＩＩ断面図である。
本実施形態に係る尻栓４０が上記第１の実施形態に係る尻栓２０と異なるところは、尻栓４０は、複数のボール４１を備えており、このボール４１は、上記薄肉リング部材２８とシート部材２２との間に介在されている点である。なお、その他の構成については、上記第１の実施形態に係る尻栓２０と同様である。
【００３６】
このボール４１は、例えば４フッ化エチレン樹脂、ポリアセタール等により構成されている。ボール４１は、略球形に形成されており、その外径寸法は、１ｍｍ〜７ｍｍの範囲で適宜設定される。ボール４１は、図６が示すように、シート部材２２の基部３０に嵌め込まれている。具体的には、基部３０の周縁部近傍に、内壁面が略球形を呈する凹部が設けられており、この凹部にボール４１が押し込まれて保持されている。
また、本実施形態では、図７が示すように、シート部材２２の基部３０に放射状に６個の凹部が形成され、各凹部にボール４１が配置されている。つまり、薄肉リング部材２８には、６個のボール４１が設けられている。ただし、ボール４１の個数については、６個に限定されるものではなく、適宜設計変更され得る。
【００３７】
このように、ボール４１がシート部材２２に設けられることにより、シート部材２２は、薄肉リング部材２８と直接摺接することはなく、ボール４１を介して薄肉リング部材２８と接触する。しかも、ボール４１は、上記材料から構成されているから、薄肉リング部材２８に対して非常に滑りやすい。したがって、シート部材２２は、尻栓本体２１に対して一層滑らかに回転することができ、その結果、尻栓本体２１と元節１７との螺合が緩むことはなく、尻栓４０が釣竿本体１１から外れてしまうことはない。
【００３８】
なお、上記ボール４１は、シート部材２２側に設けられているが、薄肉リング部材２８側に設けられていてもよいことは勿論である。
また、本実施形態では、ボール４１は、単にシート部材２２に嵌め込まれているが、例えばボール４１を回転自在に保持する保持器がシート部材２２又は薄肉リング部材２８に取り付けられ、この保持器に上記ボール４１が保持されていてもよい。この場合では、ボール４１と薄肉リング部材２８又はシート部材２２とは、転がり接触することになるから、シート部材２２は、尻栓本体２１に対してより一層滑らかに回転することができるという利点がある。
【００３９】
＜第４の実施形態＞
次に、本発明の第４の実施形態について説明される。
図８は、本発明の第４の実施形態に係る尻栓５０の分解斜視図であり、図９は尻栓５０の分解正面図である。
本実施形態に係る尻栓５０が上記第１の実施形態に係る尻栓２０と異なるところは、シート部材５１の構造が異なる点である。すなわち、本実施形態に係るシート部材５１は、支持フレーム５２と端面シート５３とを備えており、尻栓５０は、この支持フレーム５２を介して尻栓本体２１に装着されている。なお、その他の構成については、上記第１の実施形態に係る尻栓２０と同様である。
【００４０】
図８及び図９が示すように、シート部材５１は、略円筒状に形成された支持フレーム５２と、これに嵌め込まれた端面シート５３とを備えている。
支持フレーム５２は、一端側（端面シート５３が設けられた側）に形成された端面シート支持部５４と、これに連続し、他端側に形成された挿入案内筒部５５とを備えている。これら端面シート支持部５４と挿入案内筒部５５とは、例えば樹脂等により一体的に形成されている。支持フレーム５２を構成する材料としては、４フッ化エチレン樹脂、ポリアセタール等が好ましい。
【００４１】
端面シート支持部５４は、円盤状に形成されており、その一端面５６に段部５７が形成されている。この段部５７は、端面シート５３を位置決め保持する座を構成する。ただし、この段部５７は、省略されていてもよい。
また、端面シート支持部５４は、周溝５８が形成されている。この周溝５８は、当該端面シート支持部５４と挿入案内筒部５５との境界部分に設けられており、その溝幅寸法及び深さ寸法は、上記第１の実施形態に係る尻栓２０に設けられた周溝３２と同様である。
【００４２】
挿入案内筒部５５は、端面シート支持部５４に連続し、その外径寸法が軸方向に向かって（他端面側に向かって）漸次小さくなっている。つまり、挿入案内筒部５５の周面５９は、傾斜面として形成されており、挿入案内筒部５５は、テーパ状に形成されている。また、挿入案内筒部５５の最大外径寸法は、端面シート支持部５４の外径寸法と略同様となるように設定されている。
さらに、挿入案内筒部５５の周面５９には、当該周面５９を径方向に貫通するようにスリット６０が設けられている。このスリット６０は、挿入案内筒部５５の先端から上記周溝５８に至る位置まで形成されている。本実施形態では、スリット６０は、挿入案内筒部５５の周方向に放射状に４個設けられている。ただし、スリット６０の個数は、４個に限定されるものではなく、適宜設計変更され得る。
【００４３】
挿入案内筒部５５が前述のようにテーパ状に形成され、且つ上記スリット６０が設けられることによって、挿入案内筒部５５の外径は、弾性的に容易に拡縮が可能となっている。すなわち、本実施形態では、挿入案内筒部５５がテーパ状に形成されること及び上記スリット６０が設けられることによって、挿入案内筒部５５の外径寸法が縮小される縮径許容機構が構成されている。
【００４４】
端面シート５３は、図９が示すように円形板状に形成されており、支持フレーム５２の一端面５６に取り付けられている。本実施形態では、前述のように、支持フレーム５２の一端面５６に段部５７が形成されているから、端面シート５３は、支持フレーム５２に対して位置決めされる。
なお、端面シート５３は、例えばゴム等により構成され、接着剤等により支持フレーム５２に固定されている。
【００４５】
本実施形態においては、支持フレーム５２に端面シート５３が取り付けられ、その状態で支持フレーム５２が尻栓本体２１に嵌め込まれることによって尻栓５０が組み立てられる。この場合、端面シート５３は、釣竿本体１１を構成する各節（元上節１６等）の後端面が当接する座を構成する。
支持フレーム５２は、端面シート５３が設けられた側と反対側の端面側から尻栓本体２１の先端部２４に挿入される。すなわち、挿入案内筒部５５が尻栓本体２１の先端部２４に挿入されるのであるが、このとき、挿入案内筒部５５は、尻栓本体２１側に設けられた薄肉リング部材２８と摺接する。
【００４６】
さらに、挿入案内筒部５５が上記先端部２４に押し込まれると、挿入案内筒部５５の周面５９が前述の傾斜面に形成されていることから、挿入案内筒部５５の外径寸法が小さくなる。つまり、挿入案内筒部５５の外径が縮径されながら、当該挿入案内筒部５５が順次尻栓本体２１内に挿入されていく。そして、上記薄肉リング部材２８が相対的に尻栓本体２１の周溝５８に接近し、両者の位置が一致したときに、薄肉リング部材２８が周溝５８に嵌り込み、上記支持フレーム５２が尻栓本体２１に係合する。
【００４７】
このように、本実施形態では、支持フレーム５２が尻栓本体２１の先端部２４に押し込まれるだけで、シート部材５１がきわめて簡単に尻栓本体２１に係合され、尻栓５０が構成される。しかも、支持フレーム５２には上記周溝５８が形成され、この周溝５８に上記薄肉リング部材２８が嵌め込まれるので、支持フレーム５２は、尻栓本体５１に対して回転自在となる。したがって、尻栓本体２１と元節１７との螺合が緩むことはなく、尻栓３５が釣竿本体１１から外れてしまうことはない。
【００４８】
特に本実施形態では、支持フレーム５２が尻栓本体５１に嵌め込まれるときに尻栓本体５１の挿入案内筒部５５が縮径されることによって、支持フレーム５２がスムーズに尻栓本体５１に嵌め込まれるが、そのための具体的構成は、挿入案内筒部５５がテーパ状に形成されたこと且つスリット６０が設けられたことである。つまり、挿入案内筒部５５が縮径されるための構造がきわめて簡単であり、これにより、支持フレーム５２がコスト安価に製造され、その結果、尻栓５０の製造コストが大幅に上昇することはないという利点がある。
【００４９】
＜第５の実施形態＞
次に、本発明の第５の実施形態について説明される。
図１０は、本発明の第５の実施形態に係る尻栓７０の分解正面図である。
本実施形態に係る尻栓７０が上記第１の実施形態に係る尻栓２０と異なるところは、上記第１の実施形態に係る尻栓２０では、尻栓本体２１にシート部材２２が直接嵌め込まれているのに対し、本実施形態に係る尻栓７０は、シート部材７１がコイルバネ７２を介して尻栓本体２１に装着されている点である。
【００５０】
コイルバネ７２は、バネ鋼等からなる線材が所定のピッチで螺旋状に巻回されることによって構成されている。コイルバネ７２の外径寸法は、尻栓本体２１の内径寸法に対応されており、これにより、コイルバネ７２は、尻栓本体２１の内側に嵌め込まれて支持されている。また、コイルバネ７２の巻回方向は、尻栓本体２１の雄ねじ２７の形成方向と同一である。
なお、本実施形態では、尻栓本体２１は、上記薄肉リング部材２８が形成されているので、コイルバネ７２の外径寸法は、薄肉リング部材２８の内径寸法に対応されているが、この薄肉リング部材２８が省略される場合は、コイルバネ７２の外径寸法は、上記先端部２４の内径寸法に対応される。
【００５１】
シート部材７１は、端面部７３と支持部７４とを備えており、これらは、例えばゴム等により一体的に形成されている。支持部７４は、円柱状に形成されており、その外径寸法は、上記コイルバネ７２の内径寸法に対応されている。また、端面部７３は、円形板状に形成されており、その中心は、支持部７４の中心と一致している。端面部７３の外径寸法は、支持部７４の外径寸法よりも大きく設定されており、且つ尻栓本体２１の先端部２４の内径寸法に対応されている。したがって、端面部７３は、上記先端部２４の内側に挿入可能となっている。このシート部材７１は、同図が示すように、支持部７４側から上記コイルバネ７２の内側に嵌め込まれる。
【００５２】
シート部材７１がコイルバネ７２を介して尻栓本体２１に嵌め込まれた状態で、当該尻栓７０が上記元節１７の後端部にねじ込まれる。このとき、シート部材７１の支持部７４は、コイルバネ７２の内側に固着されているのが好ましい。
尻栓７０が元節１７にねじ込まれることにより、シート部材７１の端面部７３の端面７５によって、釣竿本体１１を構成する各節（元上節１６等）の後端部が当接される座が構成される。
【００５３】
シート部材７１は、尻栓本体２１の先端部２４内に挿入されるが、コイルバネ７２によって支持されているから、シート部材７１は、コイルバネ７２の巻回方向（すなわち、尻栓７１の螺合方向）へは容易に回転することができるが、その逆方向へは容易に回転することはできない。したがって、尻栓本体２１と元節１７との螺合が容易に緩むことはなく、尻栓７０が釣竿本体１１から外れてしまうことはない。
【００５４】
本発明に係る尻栓２０、３５、４０、５０、７０は、すべて釣竿１０に適用されているが、この釣竿１０に限定されるものではないことは勿論であり、アウターガイドタイプの釣竿やタモの柄等にも適用され得る。
【００５５】
【発明の効果】
以上のように本発明によれば、シート部材は、確実に尻栓本体に装着されつつ尻栓本体に嵌め込まれた状態で尻栓本体に対して回転自在である。したがって、この釣竿用尻栓が釣竿に装着され、シート部材が釣竿を構成する節と接触することによって尻栓本体に対して回転する方向に外力（摩擦力等）が付加された場合であっても、シート部材は、尻栓本体に対して回転するので尻栓本体と釣竿本体との螺合が緩むことはなく、釣竿用尻栓が釣竿本体から外れてしまうことはないという効果がある。
【図面の簡単な説明】
【図１】図１は、本発明の第１の実施形態に係る尻栓が装着された釣竿の正面図である。
【図２】図２は、本発明の第１の実施形態に係るの分解斜視図である。
【図３】図３は、本発明の第１の実施形態に係る尻栓の分解正面図である。
【図４】図４は、本発明の第１の実施形態に係る尻栓の断面図である。
【図５】図５は、本発明の第２の実施形態に係る尻栓の断面図である。
【図６】図６は、本発明の第３の実施形態に係る尻栓の断面図である。
【図７】図７は、図６におけるＶＩＩ−ＶＩＩ断面図である。
【図８】図８は、本発明の第４の実施形態に係る尻栓の分解斜視図である。
【図９】図９は、本発明の第４の実施形態に係る尻栓の分解正面図である。
【図１０】図１０は、本発明の第５の実施形態に係る尻栓の分解正面図である。
【図１１】図１１は、磯釣りに使用される従来の釣竿の要部正面図である。
【符号の説明】
１０・・・釣竿
１１・・・釣竿本体
１６・・・元上節
１７・・・元節
２０・・・尻栓
２１・・・尻栓本体
２２・・・シート部材
２３・・・端面
２４・・・先端部
２５・・・後端部
２７・・・雄ねじ
２８・・・薄肉リング部材
２９・・・段部
３０・・・基部
３１・・・挿入部
３２・・・周溝
３３・・・底面部
３５・・・尻栓
３６・・・潤滑部材
４０・・・尻栓
４１・・・ボール
５０・・・尻栓
５１・・・シート部材
５２・・・支持フレーム
５３・・・端面シート
５４・・・端面シート支持部
５５・・・挿入案内筒部
５６・・・一端面
５７・・・段部
５８・・・周溝
５９・・・周面
６０・・・スリット
７０・・・尻栓
７１・・・シート部材
７２・・・コイルバネ
７３・・・端面部
７４・・・支持部
７５・・・端面
【図１】
2005013084.tif 000003
【図２】
2005013084.tif 000004
【図３】
2005013084.tif 000005
【図４】
2005013084.tif 000006
【図５】
2005013084.tif 000007
【図６】
2005013084.tif 000008
【図７】
2005013084.tif 000009
【図８】
2005013084.tif 000010
【図９】
2005013084.tif 000011
【図１０】
2005013084.tif 000012
【図１１】
2005013084.tif 000013